(57)【要約】【課題】従来の外構用基礎構築体では、植栽で彩りたい時には、仕切りブロックの横に花壇を造るか、横にプランターや鉢を置かねばならず、土地の有効利用が阻害される欠点が有り、少ない土地利用で境界の仕切りと植栽が可能な外構用基礎構築体を提供する事を課題としている。【解決手段】仕切りブロックの代わりに意匠の優れた樹脂製の残存型枠１を対で用い、残存型枠１に打設するコンクリート５の量を残存型枠１の３分の２の高さまでにして、残りの部分に玉土６と腐葉土７を入れる構造にした。これにより基礎構築体の上面が花壇となり、花１０などの植物を植栽可能なものとした。結果として花壇付きでも狭いスペースに納める事が出来る外構用基礎構築体を提供出来る様になる。またフェンス９を設置する場合においても、フェンス９の支柱８は花壇の中に立つ構造となる為、余計な場所を取らず土地を有効利用する事が出来る。【選択図】        図１
0003140759.tif 000002
【実用新案登録請求の範囲】
【請求項１】
ＦＲＰ等の樹脂製の残存型枠を用い、その型枠の３分の２程までコンクリートを打設し、残りの３分の１には土を入れて造られる外構用基礎構築体であって、その外構用基礎構築体の上面が花壇となり、植栽が出来る事を特徴とした外構用基礎構築体。
【請求項２】
フェンスの支柱が請求項１に記載の花壇の中に設置される事を特徴とする請求項１に記載の外構用基礎構築体。
【考案の詳細な説明】
【技術分野】
【０００１】
本考案は外構の基礎構造に関する。
【背景技術】
【０００２】
図４に示す様に、従来の外構の基礎構造体は地面を掘って鉄筋２を配設後、コンクリートを打設してフーチング４を造り、その上にブロック１３を積み上げて形成される。各ブロック１３は互いの間にコンクリートやモルタルが塗布されて固定される。この内容は特開平１０−６１２６７号公報の従来の技術でも述べられており、同公報の図１７で図示されている。このブロック１３を積み上げた部分が土地の境界の仕切りの役割を果たす。
【０００３】
フェンス９を設置する場合は、基礎構造体に支柱８を埋め込んで固定され、支柱８にフェンス９が金具にて固定される。尚、支柱８は金具やネジ類を用いてブロック１３の上面や側面に固定されるケースも有る。基礎構造体の表面はブロック１３の生地のままで完成とされる事も塗装する事も有り、意匠を高める為に表面にモルタルを塗りコテ仕上げする事やレンガやタイルを貼り付けて仕上る事も有る。
【０００４】
更に外構を彩る為に植栽を施す際には図４に示す様に、花１０などの植物を植えたプランター１５や鉢を基礎構築体の横に置いたり、図３に示す様に、基礎構築体の横にレンガ１４などで枠を組んで花壇を造り、花１０などの植物を植栽している。
【特許文献１】特開平１０−６１２６７号公報
【考案の開示】
【考案が解決しようとする課題】
【０００５】
しかしながら、上記した図４で示した外構用基礎構築体の例では、植栽されたプランターや鉢が軽い場合が多く、台風の強風に飛ばされる被害が出たり、その被害を防止する為に台風の度に片付けなければならない問題が有る。
【０００６】
また、上記した図３で示した外構用基礎構築体の例では、台風に対しての問題は解決されるが、ブロックで形成された土地の境界の仕切り部と花壇の両方が土地を占有するので、敷地が狭くなるという欠点が有る。
【０００７】
上記した外構用基礎構築体の例で、ブロックの生地のままで完成とする場合で、化粧ブロックを使用せず、普通のセメントブロックを使用した場合、意匠が悪く美観が良いとは言えない状況である。
【０００８】
そこで本考案は、少ない土地利用で境界の仕切りと植栽が可能で、しかも美観に優れた外構用基礎構築体を提供する事を課題としている。
【課題を解決するための手段】
【０００９】
仕切り部を、ブロックの代わりに意匠の優れた樹脂製の残存型枠を対で用いて、中にコンクリートを打設する事により形成し、美観を高めた。
【００１０】
打設するコンクリートを型枠の３分の２の高さまでにして、残りの部分に土を入れる事で、仕切り部の上面を花壇として利用出来る様にして、花壇付きでも狭いスペースに納められる様にした。結果としてフェンスを設置する場合には、フェンスの支柱は花壇の中に立つ構造となった。
【考案の効果】
【００１１】
意匠の優れた樹脂製の残存型枠を使用する事により、美観に優れた外構用基礎構築体の仕上り面を提供出来る。
【００１２】
仕切り部の上面が花壇の役割を果たす事により、花壇のスペースが余計に要らず、土地の有効利用が可能となる。
【考案を実施するための最良の形態】
【００１３】
以下、本考案を実施するための最良の形態を図面に基づいて詳細に説明する。図１に示す様に鉄筋２を配筋する。鉄筋はＬ字形のフーチング４及び仕切り部のコンクリート５の骨組みと成るような形で配筋される為、鉄筋の縦筋の高さは残存型枠１の高さの中程までとなる。
【００１４】
配筋後、花壇部の水抜き用として排水パンプ３を所々に配置する。排水パンプ３はその役割を果たす為、フーチング４よりも深くなる様に地中に挿し、コンクリート５の上面よりも僅かに高くなくてはならない。
【００１５】
排水パイプ３の設置後、コンクリートを打設しＬ字形のフーチング４を造る。但し、フーチング４の形状は必ずＬ字形である必要はなく、逆Ｔ字形やその他の形でも構わない。フーチング４の形に合わせて上記した配筋も変えるものとする。
【００１６】
フーチング４のコンクリートを硬化させた後、フェンス９を設置する場合には、支柱８を差し込む為の穴をフーチング４にあけ、支柱８をその穴に挿す。この穴はフーチング４のコンクリート打設の際に造形出来る様にしておいても構わない。
【００１７】
続いて残存型枠１を組んで仕切り部の型枠を造る。残存型枠１はＦＲＰ等の樹脂製を用い、樹脂の特徴を活かし表面が鏡面のものや石目のもの木目のものなど色々な装飾を施したり、様々な色や柄を使用可能なものとして、意匠に優れたものとする。
【００１８】
対向する残存型枠１は図２（ａ）に示す連結金具１１を用いて、図２（ｂ）に示す様にボルト１２にてお互いを連結される。連結金具１１の形や連結方法はこの限りではなく、他の方式でも構わない。
【００１９】
残存型枠１は図１に示す様に境界に沿って並設され、境界の仕切りを形成する。
【００２０】
残存型枠１を組上げ後、内部にコンクリート５を打設する。コンクリート５の打設量は、残存型枠１の高さの３分の２の高さ位までとする。
【００２１】
コンクリート５が硬化後、フェンス９を設置する場合には、フェンス９を支柱８に金具等にて固定する。
【００２２】
コンクリート５の上に玉土６を敷き、更に玉土６の上に腐葉土７を敷く事で、仕切り部の上面が花壇となり、ここへ花１０などの植物を植栽可能となる。コンクリート５の上に敷くものは、玉土６や腐葉土７に拘らず、植物を栽培可能なものであれば良いものとする。
【００２３】
フェンス９を設置した場合には、支柱８が腐葉土７の中から立っている為、植栽を施した後には花壇の中からフェンス９の支柱８が立っている外観となる。
【図面の簡単な説明】
【００２４】
【図１】本考案を実施するための最良の形態を示した斜視図ある。
【図２】（ａ）は本考案に係る対向する残存型枠を連結する為に用いる連結金具を示した図であり、（ｂ）は本考案に係る対向する残存型枠を連結した状態を示した連結部の断面図である。
【図３】従来の外構の基礎構造体で花壇が横にあるケースを示した斜視図ある。
【図４】従来の外構の基礎構造体でプランターが横にあるケースを示した斜視図ある。
【符号の説明】
【００２５】
１    残存型枠
２    鉄筋
３    排水パイプ
４    フーチング
５    コンクリート
６    玉石
７    腐葉土
８    支柱
９    フェンス
１０    花
１１    連結金具
１２    ボルト
１３    ブロック
１４    レンガ
１５    プランター
【図１】
0003140759.tif 000003
【図２】
0003140759.tif 000004
【図３】
0003140759.tif 000005
【図４】
0003140759.tif 000006